(57)【要約】      （修正有）【課題】段積みして使用する時に風圧力に耐えることができ、不使用時には保管場所を取らない二段パレット。【解決手段】使用時には上段と下段の各パレットに物品を搭載して積み重ねることができ、不使用時には各部材に分解することができ、次の(i)〜(iv)を満足すること。  (i) 下段パレットは、矩形の平面形状を有するフレームと、このフレームの四隅に立設されてなる支柱と、支柱上端に架け渡されたレール材からなり、各支柱が下方に突出して所定高さに離間させるものであること。  (ii) 上段パレットは、矩形の平面形状を有するフレームと、このフレームの少なくとも四隅近傍に立設されてなる支柱からなり、各支柱が下方に突出していて、支柱下端には、下段パレットのレール材上に嵌合するレール材ガイドを有するものであること。  (iii) レール材ガイドは、レール材上を水平移動可能であること。  (iv) 上段および下段パレットの支柱は同一の鉛直線上に位置すること。【選択図】図８
2009091035.tif 000002
【特許請求の範囲】
【請求項１】
使用時には上段と下段の各パレットにそれぞれ物品を搭載できるとともに上下に積み重ねることができ、不使用時には各部材に分解することができる二段パレットであって、次の(i)〜(iv)を満足することを特徴とする二段パレット。
(i) 下段パレットは、矩形の平面形状を有するフレームと、このフレームの少なくとも四隅に立設されてなる支柱と、左側に立設された２本の支柱の上端間と右側に立設された２本の支柱の上端間のそれぞれに前後方向に水平に架け渡された矩形断面を有するレール材からなり、各支柱の下端部がフレーム枠材の下方に突出していてこのフレーム枠材を支柱の下端から所定高さに離間させるものであること。
(ii) 上段パレットは、矩形の平面形状を有するフレームと、このフレームの少なくとも四隅近傍に立設されてなる支柱からなり、各支柱の下端部がフレーム枠材の下方に突出していてこのフレーム枠材を支柱の下端から所定高さに離間させるものであって、左側に立設された２本の支柱の下端と、右側に立設された２本の支柱の下端には、下段パレットの矩形の断面を有するレール材上に嵌合する断面形状を有するレール材ガイドを有するものであること。
(iii) 上段パレットのレール材ガイドは、下段パレットのレール材上を所定位置まで水平移動可能であること。
(iv) 上段パレットの支柱は下段パレットの支柱と同一の鉛直線上に位置すること。
【請求項２】
上段パレットのレール材ガイドは短尺であることを特徴とする、請求項１に記載の二段パレット。
【請求項３】
上段パレットのレール材ガイドはレールガイド支えによってフレーム枠材に支持されていることを特徴とする、請求項１又は２に記載の二段パレット。
【請求項４】
上段パレットの支柱の長さは下段パレットの支柱の長さの概ね半分であることを特徴とする、請求項１から３までのいずれかに記載の二段パレット。
【請求項５】
パレットの支柱は、土台柱と柱材とに分解できるものであることを特徴とする、請求項１から４までのいずれかに記載の二段パレット。
【請求項６】
土台柱とフレーム枠材が一体に形成されていることを特徴とする、請求項５に記載の二段パレット。
【請求項７】
支柱間につなぎ材が設けられていることを特徴とする、請求項１から６までのいずれかに記載の二段パレット。
【請求項８】
つなぎ材がラーメン構造を有することを特徴とする、請求項１から７までのいずれかに記載の二段パレット。
【請求項９】
つなぎ材に加えて交差筋交いを設けることを特徴とする、請求項１から８までのいずれかに記載の二段パレット。
【請求項１０】
フレーム枠材は、フォークリフトの爪を挿入することができるフォークガイドを備えることを特徴とする、請求項１から９までのいずれかに記載の二段パレット。
【請求項１１】
フレーム枠材は、フォークリフトの爪を挿入することができるフォークガイド及びフォークガイドカバーを備えることを特徴とする、請求項１から９までのいずれかに記載の二段パレット。
【発明の詳細な説明】
【技術分野】
【０００１】
本発明は、使用時には上段と下段の各パレットにそれぞれ物品を搭載できるとともに上下に積み重ねることができ、不使用時には各部材に分解することができる二段パレットに関する。
【背景技術】
【０００２】
従来から、物品の運搬や保管に使用するパレットとして、物品を搭載してフォークリフト等により運搬され、使用時には上下に積み重ねることができ、不使用時には入れ子状に積み重ねることのできる複数段パレットが知られている。
【０００３】
このような搬送用パレットは、従来からよく知られており、例えば、特許文献１には、荷台フレームと、この荷台フレームの四隅に立設された支柱と、左右一対の支柱の上端に前後方向に水平に架け渡された上段パレット支持用の２本の上部レール材と、前記荷支持台部の左右両側辺の下側に前後方向に水平に配設された２本の下部レール材を備えたものであって、上下のレール材の断面形状が上下ともに山形のものが開示されている。
【０００４】
そして、パレットを上下に積み重ねる際には、位置決めが簡単であって、下段パレットの上部の山形レール材の上に、上段パレットの下部レール材を載置させるだけでよいから、物品を搭載したままパレットを段積みすることができる。
【０００５】
また、この段積み可能な搬送用パレットは、不使用時には、下段パレットの各支柱の手前側に上段パレットの各支柱が隣接する状態で、下段パレットの内側に上段パレットを入れ子状に積み重ねることができるように、左右一対の２本の上部レール材の間隔、左右一対の２本の下部レール材間の間隔及び奥側左右一対の支柱間の間隔を、それぞれ手前側左右一対の支柱間の間隔よりも狭めてある。したがって、上段パレットの荷台フレームを下段パレットの荷台フレームの上に手前側から挿入し、下段パレットの上部レール材の上に上段パレットの下部レール材を載置した状態で、上段パレットを下段パレットの上に入れ子状に積み重ねることができる。
【０００６】
【特許文献１】特公昭５３−２６１８７号公報
【発明の開示】
【発明が解決しようとする課題】
【０００７】
しかしながら、上述したパレットを上下に積み重ねる際には、下段パレットの上部の山形レール材の上に、上段パレットの下部レール材を載置させるだけであるから、上段パレットに風圧力がかかると上段パレットの位置がずれたり、最悪の場合、落下するおそれがある。また、上述したパレットは、不使用時に入れ子状に積み重ねることのできるようにするために、左右一対の２本の上部レール材の間隔、左右一対の２本の下部レール材間の間隔及び奥側左右一対の支柱間の間隔を、それぞれ手前側左右一対の支柱間の間隔よりも狭めてあるので、その形状自体から安定性に欠けるとともにパレットの剛性が小さいという問題がある。
【０００８】
したがって、たとえば、段積みしたパレットに物品を搭載した状態で屋外で保管する際には風圧力に耐えられないというおそれがあった。また、段積みしたパレットに物品を搭載した状態で屋外の平坦でない場所におくと支柱が変形しパレットが傾くおそれがあった。
【０００９】
そして、複数段パレットの不使用時にはパレットを入れ子状に積み重ねて保管することができるものの、安全上からその段積み高さには限界があった。
【００１０】
本発明は、このような問題点を解決するためになされたものであって、仮設トイレット等の物品の複数個を段積みした状態で使用する時に風圧力に耐えることができるとともに大きな剛性を有し、そして、不使用時には保管場所を取らないパレットを提供することを目的とする。
【課題を解決するための手段】
【００１１】
本発明者らは、段積みした状態で使用する時に風圧力に耐えることができるとともに大きな剛性を有し、そして、不使用時には保管が容易なパレットを提供するために、種々の検討を重ねた結果、次の(a)〜(f)に示す知見を得た。
【００１２】
(a) パレットの剛性を上げるには、パレットの全体形状を矩形のフレームと支柱から構成される直方体とするのがよい。たとえば、矩形のフレームは横方向と前後方向のフレーム枠材から矩形のフレーム枠を形成し、その上にフレーム敷板を貼り付け、そして、このフレームの少なくとも四隅に支柱を立設した上で、左右の支柱の上端を上部レール材で前後に連結すればよい。その際、左右一対の２本の上部レール材の間隔、左右一対の２本の下部レール材間の間隔及び奥側左右一対の支柱間の間隔を、手前側左右一対の支柱間の間隔と同一にするのがよい。
【００１３】
(b) パレットの全体形状を直方体として剛性を上げるには、パレットを入れ子状に積み重ねて保管することをあきらめればよい。パレットの不使用時に場所を取らない、他の保管方法としては、パレットを各部材に分解して保管すればよい。そのためには、パレットの各部材を分解可能にすればよい。
【００１４】
(c) 仮設トイレット等の物品の複数個を段積みした状態でパレットを使用するときに風圧力に耐えることができるようにするには、たとえば、段数を２段に制限するのも有効な手段である。仮設トイレットの物品を段積みした状態でパレットを使用する場合には、下段パレットと上段パレットのそれぞれに３個、上下の合計で６個搭載することができるだけでも有用である。このような場合には、上段パレットの支柱の長さは下段パレットの支柱の長さの概ね半分程度とすることができる。
【００１５】
(d) 段積みした状態でパレットを使用するときに風圧力に耐えることができるようにするには、パレットの全体形状を直方体にして安定性を向上させ、かつパレットの剛性を上げるとともに、上下に積み重ねたパレット同士が風圧力によっては簡単に外れないようにすればよい。
【００１６】
(e) 上下に積み重ねたパレット同士が風圧力によっては簡単に外れないようにするためには、下段パレットの上部レール材として矩形断面を有するレール材を採用した上で、上段パレットの下部レール材として、この矩形断面を有するレール材に嵌合する形状を採用すればよい。矩形断面を有するレール材としては、例えば、角形鋼管を用いることができる。そして、これに嵌合する形状の下部レール材としては、例えば、軽溝形鋼を用いることができる。
【００１７】
(f) 下段パレットの上部レール材に嵌合する形状の上段パレットの下部レール材は、支柱間を架け渡す長さを有する長尺レール材である必要はなく、短尺のレール材ガイドをフレームの四隅に立設されている支柱の２箇所に設置するだけでよい。上段パレットのレール材ガイドはレールガイド支えによってフレーム枠材に支持させるのが好ましい。上段パレットの長尺の下部レール材に代えて、短尺のレール材ガイドを設置したときは、下段パレットの上部レール材の上に上段パレットの左右の支柱の下部に設けられた短尺のレール材ガイドをスライドさせることによって容易に嵌合することができる。したがって、上下にパレットを積み重ねて２段パレットを組み立てるときに、フォークリフトを使うことが可能となるので、特別の組み立て用の重機を用いる必要がない。
【００１８】
本発明は、上記の知見に基づきなされたもので、その要旨は下記の(1)〜(11)の二段パレットにある。以下、総称して、本発明という。
【００１９】
(1) 使用時には上段と下段の各パレットにそれぞれ物品を搭載できるとともに上下に積み重ねることができ、不使用時には各部材に分解することができる二段パレットであって、次の(i)〜(iv)を満足することを特徴とする二段パレット。
【００２０】
(i) 下段パレットは、矩形の平面形状を有するフレームと、このフレームの少なくとも四隅に立設されてなる支柱と、左側に立設された２本の支柱の上端間と右側に立設された２本の支柱の上端間のそれぞれに前後方向に水平に架け渡された矩形断面を有するレール材からなり、各支柱の下端部がフレーム枠材の下方に突出していてこのフレーム枠材を支柱の下端から所定高さに離間させるものであること。
【００２１】
(ii) 上段パレットは、矩形の平面形状を有するフレームと、このフレームの少なくとも四隅近傍に立設されてなる支柱からなり、各支柱の下端部がフレーム枠材の下方に突出していてこのフレーム枠材を支柱の下端から所定高さに離間させるものであって、左側に立設された２本の支柱の下端と、右側に立設された２本の支柱の下端には、下段パレットの矩形断面を有するレール材上に嵌合する断面形状を有するレール材ガイドを有するものであること。
【００２２】
(iii) 上段パレットのレール材ガイドは、下段パレットのレール材上を所定位置まで水平移動可能であること。
【００２３】
(iv) 上段パレットの支柱は下段パレットの支柱と同一の鉛直線上に位置すること。
【００２４】
(2) 上段パレットのレール材ガイドは短尺であることを特徴とする、上記(1)の二段パレット。
【００２５】
(3)上段パレットのレール材ガイドはレールガイド支えによってフレーム枠材に支持されていることを特徴とする、上記(1)又は(2)の二段パレット。
【００２６】
(4) 上段パレットの支柱の長さは下段パレットの支柱の長さの概ね半分であることを特徴とする、上記(1)〜(3)のいずれかの二段パレット。
【００２７】
(5) パレットの支柱は、土台柱と柱材とに分解できるものであることを特徴とする、上記(1)〜(4)のいずれかの二段パレット。
【００２８】
(6) 土台柱とフレーム枠材が一体に形成されていることを特徴とする、上記(5)の二段パレット。
【００２９】
(7) 支柱間につなぎ材が設けられていることを特徴とする、上記(1)〜(6)のいずれかの二段パレット。
【００３０】
(8) つなぎ材がラーメン構造を有することを特徴とする、上記(1)〜(7)のいずれかの二段パレット。
【００３１】
(9) つなぎ材に加えて交差筋交いを設けることを特徴とする、上記(1)〜(8)のいずれかの二段パレット。
【００３２】
(10) フレーム枠材は、フォークリフトの爪を挿入することができるフォークガイドを備えることを特徴とする、上記(1)〜(9)のいずれかの二段パレット。
【００３３】
(11) フレーム枠材は、フォークリフトの爪を挿入することができるフォークガイド及びフォークガイドカバーを備えることを特徴とする、上記(1)〜(9)のいずれかの二段パレット。
【発明の効果】
【００３４】
本発明によれば、段積みした状態で使用する時に風圧力に耐えることができるとともに大きな剛性を有し、そして、不使用時には保管場所を取らない二段パレットを提供することができる。
【発明を実施するための最良の形態】
【００３５】
以下、図面を用いて本発明に係る二段パレットを説明する。なお、本発明は実施例に限定されない。
【実施例１】
【００３６】
図１は、本発明に係る下段パレットの一例であり、(a)は正面図、(b)は右側面図、そして(c)は上面図を、それぞれ示す。
【００３７】
この下段パレットは、横方向と前後方向の合計４本のフレーム枠材１８から形成された矩形のフレーム枠とその上に貼り付けたフレーム敷板１９からなる矩形の平面形状を有するフレームと、このフレームの四隅に立設されてなる支柱１２と、このフレームの中央部の前後に立設されてなる支柱１３と、左側に立設された２本の支柱１２の上端間と右側に立設された２本の支柱１２の上端間のそれぞれに前後方向に水平に架け渡された矩形断面を有する長尺のレール材１５からなる。下段パレットにはこのフレーム上に物品を搭載し、さらにこの下段パレットの上には、物品を搭載した上段パレットを積み重ねて使用する。たとえば、高さ２．５ｍの物品を搭載する場合には、下段パレットの高さとしては、２．５〜３．０ｍ程度とする。そして、屋外において使用することも考えると、下段パレットの支柱としては、風圧力に耐えることができる構造として、支柱のサイズは、角形鋼管を使用する場合、断面が５０ｍｍ×５０ｍｍ程度で板厚２．３ｍｍ程度とするのが好ましい。
【００３８】
レール材１５としては角形鋼管を用いるのが好ましく、レール材１５の上には物品を搭載した上段パレットが載置されることから、強度上耐えうる構造として、レール材１５のサイズは、断面が５０ｍｍ×５０ｍｍの場合で板厚１．６ｍｍ程度とするのが好ましい。レール材１５は、４本の支柱１２の上端に柱受け１４を嵌め込み、この柱受け１４を介して左右の支柱１２の上端間に前後方向に２本設置される。
【００３９】
各支柱１２、１３の下端部は矩形のフレーム枠材１８の下方に突出しており、そして、各支柱１２、１３の下端部にはベースプレート２２が設けられている。そして、この例では、下段パレットの支柱１２、１３は、土台柱１６と柱材１７とに分解できるものであり、土台柱１６と柱材１７はホゾ(図示せず)を介して連結されている。なお、土台柱１６とフレーム枠材１８とは一体に形成されている。
【００４０】
また、隣接する支柱の間にはつなぎ材２１が設けられており、柱材１７とつなぎ材２１の固定には楔（図示せず）を用いているので、取り外しは容易である。つなぎ材２１としては、円筒状や角管状のパイプ材を用いるのが好ましく、そのサイズは、直径４２．７ｍｍの円筒状のパイプ材の場合で板厚２．３〜３．２ｍｍ程度のものが好ましい。
【００４１】
さらに、下段パレットをフォークリフトで運搬および積み重ねをすることができるように、フレーム枠材１８の下方には、フォークリフトの爪（図示せず）を挿入するためのフォークガイド２５が設置されている。フォークガイド２５の下にフォークリフトの爪（図示せず）を挿入して下段パレットを運搬するときに、運搬中の下段パレットを安定的に保持するためにフォークガイドカバー２６を設置するのが好ましい。
【００４２】
図２は、図１のＡ部分の拡大図であり、下段パレットの土台柱１６の下端部の一例である。(a)は正面図、(b)は下面図である。
【００４３】
下段パレットの土台柱１６の下端部には、中央部に穴２４の開いたベースプレート２２が取り付けられており、この穴２４にジャッキベース（図示せず）を挿入することができる。したがって、下段パレットを設置する場所が凹凸のある地面であっても、高さ調節が可能であることから、下段パレットを水平に設置することができる。穴の大きさは直径３７ｍｍ程度が好ましい。
【００４４】
図３は、図１のＢ部分の拡大図であり、フォークガイド２５とフォークガイドカバー２６が設置されている一例（正面図）である。
【００４５】
上述のとおり、フレーム枠材１８の下方には、フォークリフトの爪（図示せず）を挿入するためのフォークガイド２５とフォークガイドカバー２６が設置されている。フォークガイド２５としては、両縁が突起している鋼材を用いるのが好ましく、そのサイズは、２００ｍｍ×５０ｍｍの軽みぞ形鋼の場合で、板厚３．２ｍｍ程度のものが好ましい。また、フォークガイドカバー２６としては、両縁が突起している鋼材を用いるのが好ましく、そのサイズは、２００ｍｍ×５０ｍｍの軽みぞ形鋼の場合で、板厚３．２ｍｍのものを長さ４００ｍｍ程度用いるのが好ましい。
【００４６】
図４は、本発明に係る上段パレットの一例であり、(a)は正面図、(b)は右側面図、そして(c)は上面図を、それぞれ示す。
【００４７】
この上段パレットは、横方向と前後方向の合計４本のフレーム枠材３８から形成された矩形のフレーム枠と、その上に貼り付けたフレーム敷板３９からなる矩形の平面形状を有するフレームと、このフレームの四隅に立設されてなる支柱３２と、このフレームの中央部の前後に立設されてなる支柱３３とからなる。上段パレットにはこのフレーム上に物品を搭載し、上述した下段パレットの上に積み重ねて使用する。たとえば、高さ２．５ｍの物品を搭載する場合には、上段パレットの高さとしては、１．０〜１．５ｍ程度でよい。そして、屋外において使用することも考えると、上段パレットの支柱としては、風圧力に耐えることができる構造として、支柱のサイズは、角形鋼管を使用する場合で、断面が５０ｍｍ×５０ｍｍの場合で板厚２．３ｍｍ程度とするのが好ましい。
【００４８】
そして、各支柱３２、３３の下端部は矩形のフレーム枠材３８の下方に突出しており、そして、左側に立設された２本の支柱３２の下端と、右側に立設された２本の支柱３２の下端には、短尺のレールガイド３５が合計４個設置されている。また、フレームの中央部に立設された支柱３３の下端部にはベースプレート２２が設けられている。そして、この例では、上段パレットの支柱３２、３３は、土台柱３６と柱材３７とに分解できるものであり、土台柱３６と柱材３７はホゾ(図示せず)を介して連結されている。ここで、土台柱３６とフレーム枠材３８とは一体に形成されている。
【００４９】
このレールガイド３５としては、軽みぞ形鋼を用いるのが好ましい。このレールガイド３５は、下段パレットの矩形断面を有するレール材１５の上に嵌合する断面形状を有することから、下段パレット上に上段パレットをフォークリフトによって積み重ねるときに、下段パレットの上部レール材上をスライドさせて水平方向に移動することが可能になる。レールガイド３５のサイズは、８０ｍｍ×４０ｍｍの軽みぞ形鋼の場合で、板厚２．３ｍｍ程度のものが好ましい。なお、上段パレットの左右の支柱の下端にレールガイド３５を設けると、上段パレットを地上に載置したときに地面が痛むことになる。そのため、等辺山形鋼等を取り付けるのが好ましい。このベース用金具４２はレールガイド支え４３によってフレーム枠材３８に支持されている。なお、ベース用金具４２のサイズは、２０ｍｍ×２０ｍｍの等辺山形鋼の場合で、板厚３ｍｍのものを長さ６０ｍｍ程度用いるのが好ましい。
【００５０】
さらに、ここでは、４個のレールガイド３５のうち、正面側に設置された２個のレールガイドには手前側にエンドプレート４１がそれぞれ設置されている。このエンドプレート４１が、下段パレット上に上段パレットを積み重ねるときのストッパーの役割を果たす。同時に、このエンドプレート４１は下段パレットの上に上段パレットを積み重ねる際に、位置決め材の役割も果たす。
【００５１】
また、隣接する支柱の間にはつなぎ材２１が設けられており、柱材３７とつなぎ材２１の固定には楔（図示せず）を用いているので、取り外しは容易である。つなぎ材２１としては、円筒状や角管状のパイプ材を用いるのが好ましく、そのサイズは、直径４２．７ｍｍの円筒状のパイプ材の場合で板厚２．３〜３．２ｍｍ程度のものが好ましい。
【００５２】
さらに、上段パレットをフォークリフトで運搬および積み重ねをすることができるように、フレーム枠材３８の下方には、フォークリフトの爪（図示せず）を挿入するためのフォークガイド２５が設置されている。フォークガイド２５の下にフォークリフトの爪（図示せず）を挿入して上段パレットを運搬するときに、運搬中の上段パレットを安定的に保持するためにフォークガイドカバー２６を設置するのが好ましい。
【００５３】
図５は、図４のＣ部分の拡大図であり、上段パレットの右側かつ手前側の土台柱３６の周辺の一例である。(a)は正面図、(b)は右側面図、そして、(c)は上面図である。
【００５４】
上段パレットの右側かつ手前の土台柱３６には、上述のとおり、フレーム枠材３８が横方向と前後方向に取り付けられ、そして、その土台柱３６の下端部にはレールガイド３５が取り付けられている。さらに、レールガイド３５の両側にはベース用金具４２が取り付けられ、そして、レールガイド支え４３によってフレーム枠材３８に支持されている。また、レールガイド３５のうち、正面側に設置されたレールガイド３５には手前側にエンドプレート４１が設置されている。
【００５５】
図６は、図４のＤ部分の拡大図（右側面図）であり、上段パレットの右側かつ奥の土台柱３６の下端部の周辺の一例である。エンドプレート４１が設置されていない点を除けば、基本的には図４のＣ部分（上段パレットの右側かつ手前側の土台柱３６の周辺）と同じ構成をとる。
【００５６】
図７は、図４のＥ部分の拡大図であり、上段パレットの中央部かつ手前の土台柱３６の周辺の一例である。(a)は正面図、そして、(b)は上面図である。
【００５７】
上段パレットの中央部の土台柱３６には、上述のとおり、フレーム枠材３８が横方向と前後方向に取り付けられ、そして、土台柱３６の下端部にはベースプレート２２が取り付けられている。
【００５８】
図８は、前記の下段パレット（図１）の上に、上記の上段パレット（図４）を載置して、二段パレットを形成した一例を示す斜視図である。
【００５９】
下段パレットの矩形断面を有する長尺の上部レール材１５の上に、上段パレットの左右かつ前後の支柱の下部に設けられた短尺のレールガイド３５が嵌合して載置されている。そして、この短尺のレールガイド３５のうち、手前の支柱の下部に設けられた短尺のレールガイド３５には手前側にエンドプレート４１がそれぞれ設置されている。上述したとおり、このエンドプレート４１は、下段パレット上に上段パレットをフォークリフトによってスライドさせて積み重ねるときのストッパーの役割を果たす。同時に、このエンドプレート４１は下段パレットの上に上段パレットを積み重ねる際に、位置決め材の役割も果たす。
【００６０】
この結果、上下に正確に位置決めされて積み重ねた２段パレットは、レール材１５とレール材ガイド３５が嵌合しているので、上下に積み重ねたパレット同士が風圧力によっては簡単に外れない。
【００６１】
図９〜図１２に、物品を搭載した下段パレットに、物品を搭載した上段パレットを、フォークリフトによって積み重ねる手順を示す。
【００６２】
図９は、物品２８を搭載した上段パレットのフォークガイド２５とフォークガイドカバー２６の間にフォークリフトの爪２７を挿入する直前の図であり、図１０はフォークリフトの爪２７を挿入した直後の図であり、図１１はフォークリフトで物品２８を搭載した上段パレットを運搬している図であり、そして、図１２は物品２８を搭載した上段パレットを、物品２８を搭載した下段パレット上に、フォークリフトによってスライドさせて積み重ねる作業図である。
【００６３】
なお、ここでは、上段パレットと下段パレットともに、搭載する物品２８がフレーム敷板から滑り落ちないように巾木４４が設けられ、そして、物品２８が動かないように押さえ部材４５が設けられている。巾木４４の高さは１００ｍｍ程度が好ましく、そして、押さえ部材４５はたとえば角形鋼管にクランプを取り付けた構造であって、クランプ４６をつなぎ部材２１に取り付けて使用することができる。
【００６４】
図１３〜図１５は、下段パレットを各部材に分解するときの作業手順を示した図である。(a)は正面図、そして(b)は右側面図である。
【００６５】
図１３は、下段パレットの左右の支柱１２の上端に、柱受け１４を介して嵌め込まれたレール材１５を持ち上げて外す手順を示す。
【００６６】
図１４は、次いで、下段パレットの左右の支柱１２と中央部の支柱１３の間に設けられたつなぎ材２１を楔（図示せず）を外したのち、持ち上げて外す手順を示す。
【００６７】
図１５は、最後に、下段パレットの左右の支柱１２の上部を構成する柱材１７と、中央部の支柱１３の上部を構成する柱材１７を持ち上げて外す手順を示す。なお、柱材１７の下端には、前述したとおり、ホゾ２０が設けられている。
【００６８】
図１６および図１７は、上段パレットを各部材に分解するときの作業手順を示した図である。(a)は正面図、そして(b)は右側面図である。
【００６９】
図１６は、上段パレットの左右の支柱３２と中央部の支柱３３の間に設けられたつなぎ材２１を楔（図示せず）を外したのち、持ち上げて外す手順を示す。
【００７０】
図１７は、次に、上段パレットの左右の支柱３２の上部を構成する柱材３７と、中央部の支柱３３の上部を構成する柱材３７を持ち上げて外す手順を示す。なお、柱材３７の下端には、前述したとおり、ホゾ２０が設けられている。
【実施例２】
【００７１】
図１８は、本発明に係る二段パレットの他の例を示す斜視図である。
【００７２】
図１８に示される二段パレットは、図８に示した二段パレットの構成に加えて、下段パレットには隣接する支柱間に交差状に筋交５０を設け、さらに、上段パレットと下段パレットの間にはアームロック５１が設けられている。筋交５０を設けることによってパレットの剛性を高めることができるから、頑丈になる。また、アームロック５１は上段パレットと下段パレットの間を強固に固定することができる。
【実施例３】
【００７３】
図１９は、本発明に係る二段パレットの他の例を示す斜視図である。
【００７４】
図１９に示される二段パレットは、図１８に示した二段パレットの構成において、上段パレットの中央部に支柱を立設しないで、上段パレットのつなぎ材２１を左右の支柱の間に設けたものである。このように上段パレットの中央部の支柱をなくしても剛性が保たれる場合には中央部の支柱を用いないでもよい。下段パレットの中央部の支柱も同様である。
【実施例４】
【００７５】
図２０は、本発明に係る二段パレットの他の例を示す斜視図である。
【００７６】
図２０に示される二段パレットは、図８に示した二段パレットの構成に加えて、上段パレットと下段パレットの間には上段パレットと下段パレットを強固に固定するために、アームロック５１が設けられている。そして、下段パレットのつなぎ材がラーメン構造になっており、筋交５０を設けるのと同様に、パレットの剛性を高めることができるから、頑丈になる。
【産業上の利用可能性】
【００７７】
本発明によれば段積みした状態で使用する時に風圧力に耐えることができるとともに大きな剛性を有し、そして、不使用時には保管場所を取らない二段パレットを提供することができる。
【図面の簡単な説明】
【００７８】
【図１】本発明に係る下段パレットの一例であり、(a)は正面図、(b)は右側面図、そして(c)は上面図を、それぞれ示す。
【図２】図１のＡ部分の拡大図である。
【図３】図１のＢ部分の拡大図である。
【図４】本発明に係る上段パレットの一例である。
【図５】図４のＣ部分の拡大図である。
【図６】図４のＤ部分の拡大図（右側面図）である。
【図７】図４のＥ部分の拡大図である。
【図８】下段パレット（図１）の上に、上記の上段パレット（図４）を載置して、二段パレットを形成した一例を示す斜視図である。
【図９】物品を搭載した上段パレットのフォークガイドとフォークガイドカバーの間にフォークリフトの爪を挿入する直前の図である。
【図１０】フォークリフトの爪を挿入した直後の図である。
【図１１】フォークリフトで物品を搭載した上段パレットを運搬している図である。
【図１２】物品を搭載した上段パレットを、物品を搭載した下段パレット上に、フォークリフトによってスライドさせて積み重ねる作業図である。
【図１３】下段パレットの左右の支柱の上端に、柱受けを介して嵌め込まれたレール材を持ち上げて外す手順を示す。
【図１４】下段パレットの左右の支柱と中央部の支柱の間に設けられたつなぎ材を持ち上げて外す手順を示す。
【図１５】下段パレットの左右の支柱の上部を構成する柱材と、中央部の支柱の上部を構成する柱材を持ち上げて外す手順を示す。
【図１６】上段パレットの左右の支柱と中央部の支柱の間に設けられたつなぎ材を持ち上げて外す手順を示す。
【図１７】上段パレットの左右の支柱の上部を構成する柱材と、中央部の支柱の上部を構成する柱材を持ち上げて外す手順を示す。
【図１８】本発明に係る二段パレットの他の例を示す斜視図である。
【図１９】本発明に係る二段パレットの他の例を示す斜視図である。
【図２０】本発明に係る二段パレットの他の例を示す斜視図である。
【符号の説明】
【００７９】
１２  下段パレットの四隅の支柱
１３  下段パレットの中央部の支柱
１４  柱受け
１５  レール材
１６  下段パレットの土台柱
１７  下段パレットの柱材
１８  下段パレットのフレーム枠材
１９  下段パレットのフレーム敷板
２０  ホゾ
２１  つなぎ材
２２  ベースプレート
２３  ブラインドリベット
２４  穴
２５  フォークガイド
２６  フォークガイドカバー
２７  フォークリフトの爪
２８  搭載される物品
３２  上段パレットの四隅の支柱
３３  上段パレットの中央部の支柱
３５  レールガイド
３６  上段パレットの土台柱
３７  上段パレットの柱材
３８  上段パレットのフレーム枠材
３９  上段パレットのフレーム敷板
４１  エンドプレート
４２  ベース用金具
４３  レールガイド支え
４４  巾木
４５  押さえ部材
４６  クランプ
５０  筋交
５１  アームロック
５２  ラーメン構造のつなぎ材
【図１】
2009091035.tif 000003
【図２】
2009091035.tif 000004
【図３】
2009091035.tif 000005
【図４】
2009091035.tif 000006
【図５】
2009091035.tif 000007
【図６】
2009091035.tif 000008
【図７】
2009091035.tif 000009
【図８】
2009091035.tif 000010
【図９】
2009091035.tif 000011
【図１０】
2009091035.tif 000012
【図１１】
2009091035.tif 000013
【図１２】
2009091035.tif 000014
【図１３】
2009091035.tif 000015
【図１４】
2009091035.tif 000016
【図１５】
2009091035.tif 000017
【図１６】
2009091035.tif 000018
【図１７】
2009091035.tif 000019
【図１８】
2009091035.tif 000020
【図１９】
2009091035.tif 000021
【図２０】
2009091035.tif 000022